(57)【特許請求の範囲】
【請求項１】
周面に複数の凸部を有するパターンリングと、このパターンリング内に挿通される挿通部を有するリングホルダーとを有しするエンボスリングの組立て構造であって、
このエンボスリングは、複数プライの衛生薄葉紙のプライ剥離を防止するためのエンボス加工に用いるエッジエンボスリングであり、
材質がＳＫＤ６１であるパターンリングと、
前記挿通部と、の間に、
材質が硬度７０のニトリルゴムであり、かつ、半径方向の厚さが前記パターンリングの内径と前記挿通部の外径との差よりも０．５〜５％厚く、内径が前記挿通部の外径よりも０．５〜１．５％小さい緩衝リングが、圧入され、
かつ、パターンリングの端面とリングホルダーとの間に座金が介在され、
前記パターンリング、リングホルダー、緩衝リング及び座金が、軸心を一致させた状態で再分解・再組立て可能に組み立てられて、一体の円盤リング状をなしている、
ことを特徴とするエンボスリングの組立て構造。
【請求項２】
前記パターンリングは、凸部の形状がパターンリングの軸心方向に対して平行な二辺を有する四角形となっているものである、請求項１記載のエンボスリングの組立て構造。
【請求項３】
前記パターンリングは、周面の回転する方向に沿って凸部が並ぶ凸部列を複数列有し、その凸部列のうち両端に位置する凸部列の凸部同士が軸心方向に重なる位置にある、請求項２記載のエンボスリングの組立て構造。
【発明の詳細な説明】
【技術分野】
【０００１】
本発明は、複数プライの衛生薄葉紙のプライ剥離を防止するために行うエンボス加工に用いるエンボスリングの組立て構造に関する。特に、重ね合わされた帯状の複数枚の衛生薄葉紙の原紙に対して、その連続方向に沿って型押しすることで積層一体化するエンボス加工に用いられるエンボスリングの組立て構造に関する。
【背景技術】
【０００２】
トイレットペーパーやティシューペーパーなどの衛生薄葉紙には、複数枚の原紙が重ねられた複数プライのものがある。このような複数プライの衛生薄葉紙は、使用の際に各原紙が剥離しないように、原紙同士がエンボス加工によって圧着され積層一体化されたものがある。
【０００３】
複数プライの衛生薄葉紙の製品例として、図８に２プライのトイレットペーパー１０１を巻いたトイレットロール１００を示す。このトイレットロール１００では、トイレットペーパー１０１の両縁（エッジ）に沿ってエンボス加工１０２部を有しており、使用時に各原紙１０１Ａ，１０１Ｂがプライ剥離しないようにしている。
【０００４】
このようなエンボス加工は、エッジエンボス加工、ナーリング処理、コンタクトエンボス加工などとも称され、そのエンボス加工部１０２は、エッジエンボス、ナーリング処理、コンタクトエンボスなどとも称される。（本発明及び本明細書ではこのエンボス加工された部分をエッジエンボスという）。
【０００５】
このエッジエンボスを付与するためのエンボス加工は、重ね合わせた原紙を、周面に複数の凸部が所定のパターンで配列された比較的幅の狭いエンボスリングと、エンボスリングを受ける金属製又はゴム製の受けロールとの間を通すことにより行われる。
【０００６】
一方で、エッジエンボスは、プライ剥離の防止性とともに、紙面に目立たず配されていることが求められる。例えば、意匠性向上のために紙面全体に付与されるデザインエンボスの意匠性に影響を与えないように目立たないことが求められる。このようなエッジエンボスに対する要求から、近年、エッジエンボスを付与するエンボスリングでは、一つの凸部の大きさを小さくし、また、そのような小さい凸部を分散的に配置した凸部の配列パターンとする傾向にある。
【０００７】
しかしながら、このような凸部の大きさを小さくすることによって、凸部の耐摩耗性や耐破損性が低下し、エンボスリングのメンテナンス頻度が高まるという問題が生じている。
【０００８】
特にエッジエンボスを付与するエンボスリングは幅狭であるため、エッジエンボスを付与するエンボス加工時に、エンボスリングが紙面を跳ねるバウンシングという特有の現象が生じることがあり、これは凸部の破損や摩耗を促進する。
【先行技術文献】
【特許文献】
【０００９】
【特許文献１】特開２０１５−１２３３４６号公報
【特許文献２】特開２０１５−１６５８３２号公報
【特許文献３】特開２０１５−０６６８５８号公報
【特許文献４】特開２０１０−１７３２６７号公報
【特許文献５】特開２００７−１４３６５９号公報
【発明の概要】
【発明が解決しようとする課題】
【００１０】
そこで、本発明の主たる課題は、凸部の耐摩耗性や耐破損性に優れるエンボスリングの組立て構造を提供することにある。
【課題を解決するための手段】
【００１１】
上記課題を解決した本発明は次記のとおりである。
〔請求項１記載の発明〕
周面に複数の凸部を有するパターンリングと、このパターンリング内に挿通される挿通部を有するリングホルダーとを有するエンボスリングの組立て構造であって、
このエンボスリングは、複数プライの衛生薄葉紙のプライ剥離を防止するためのエンボス加工に用いるエッジエンボスリングであり、
材質がＳＫＤ６１であるパターンリングと、
前記挿通部と、の間に、
材質が硬度７０のニトリルゴムであり、かつ、半径方向の厚さが前記パターンリングの内径と前記挿通部の外径との差よりも０．５〜５％厚く、内径が前記挿通部の外径よりも０．５〜１．５％小さい緩衝リングが、圧入され、
かつ、パターンリングの端面とリングホルダーとの間に座金が介在され、
前記パターンリング、リングホルダー、緩衝リング及び座金が、軸心を一致させた状態で再分解・再組立て可能に組み立てられて、一体の円盤リング状をなしている、
ことを特徴とするエンボスリングの組立て構造。
【００１２】
〔請求項２記載の発明〕
前記パターンリングは、凸部の形状がパターンリングの軸心方向に対して平行な二辺を有する四角形となっているものである、請求項１記載のエンボスリングの組立て構造。
【００１３】
〔請求項３記載の発明〕
前記パターンリングは、周面の回転する方向に沿って凸部が並ぶ凸部列を複数列有し、その凸部列のうち両端に位置する凸部列の凸部同士が軸心方向に重なる位置にある、請求項２記載のエンボスリングの組立て構造。
【００１４】
（作用効果）
上記の本発明は、特にパターンリングと挿通部との間に緩衝リングを圧入して介在させた組立て構造と、そのパターンリングの材質と緩衝リングの材質との組み合わせと、緩衝リングの形状及び大きさによって特徴づけられる。
【００１５】
エンボスリングは、外周面に複数の凸部を有しているためエンボス加工時に振動が生ずる。また、上記のとおりエッジエンボスを付与するエンボス加工時には、エンボスリングが紙面を跳ねるバウンシングという特有の現象が生じることがある。
【００１６】
従来のエンボスリングでは、パターンリングの内径とリングホルダーの挿通部の外径がほぼ一致しており、挿通部にパターンリングが直接嵌合する組立て構造をとっている。このため、凸部が形成された外周面が紙面を走行する際の振動やバウンシングの衝撃が緩和されずパターンリング外周面に加わるため、凸部が破損しやすく、摩耗も早い。特に一つの凸部が小さい場合には、顕著となる。
【００１７】
本発明では、パターンリングと挿通部との間に緩衝リングを介在させるため、この緩衝リングがダンパーとなって、エンボス加工時に生ずるパターンリング外周面からの振動や衝撃が減衰される。
【００１８】
そして、特に本発明では、その緩衝リングを硬度７０のニトリルゴム製とするとともに、パターンリングの材質をＳＫＤ６１とする。本発明では、この緩衝リングの材質とパターンリングの材質との組み合わせによって、エンボス加工時に単にパターンリングの振動や衝撃の減衰のみならず、凸部の耐摩耗性と耐破損性が格段に向上する。
【００１９】
なお、従来のパターンリングの材質は、エンボス加工時の条件からして、冷間工具鋼の一種であり、耐摩耗性に優れるＳＫＤ１１用いられている。しかし、この耐摩耗性に優れるＳＫＤ１１と硬度７０のニトリルゴム製の緩衝リングとの組み合わせでは、凸部の耐摩耗性と耐破損性はほとんど向上しない。本発明者らは、パターンリングとしては用いられていない熱間工具鋼であるＳＫＤ６１の衝撃じん性の高さに着目し、これと緩衝リングの材質との組み合わせを検討したところ、凸部の耐摩耗性と耐破損性が格段に向上することを知見し、本発明に至った。
【００２０】
さらに、本発明では緩衝リングの大きさを、半径方向の厚さがパターンリングの内径と挿通部の外径との差よりも０．５〜５％厚く、内径が挿通部の外径よりも０．５〜１．５％小さいものとする。すなわち、本発明では、パターンリングと挿通部との間に緩衝リングが適度に圧入された状態の組立て構造となっている。このためパターンリングと挿通部との一体的性が高まり、また、過度にダンパー効果が働くことがなくなり、外周面の凸部が紙面に押されてエッジエンボスの付与が確実に行なわれるようになる。
【発明の効果】
【００２１】
以上のとおり本発明によれば、凸部の耐摩耗性や耐破損性に優れるエンボスリングの組立て構造が提供される。
【図面の簡単な説明】
【００２２】
【図１】本発明に係るエンボスリングの概略を示す正面図である
【図２】本発明に係るエンボスリングの組立構造を説明するための一部断面図である
【図３】図２におけるIII−III矢視図であり、本発明に係るエンボスリングの組立構造を説明するための側面図である。
【図４】本発明に係るエンボスリングの分解時を説明するための側面図である。
【図５】本発明に係るパターンリングの凸部の配置を説明するための概略図である。
【図６】本発明に係るエンボスリングの使用態様を説明するための概略図である。
【図７】本発明に係るエンボスリングの使用態様を説明するための他の概略図である。
【図８】エッジエンボスを有する２プライのトイレットロールの斜視図である。
【図９】実施例及び比較例のパターンリングの凸部の配置を説明するための平面図である。
【図１０】本発明の実施例及び比較例の結果を示す凸部の拡大写真である。
【発明を実施するための形態】
【００２３】
次いで、本発明の実施形態を図１〜７を参照しながら以下に詳述する。
【００２４】
本実施形態に係るエンボスリング１は、図１〜４に示すように、周面に複数の凸部１１を有するパターンリング１０と、このパターンリング１０内に挿通される筒状の挿通部２１を有する一対のリングホルダー２０，２０と、挿通部２１とパターンリング１０との間に介在される緩衝リング３０とを有し、さらにパターンリング１０の端面とリングホルダー２０との間に介在してパターンリング１０とリングホルダー２０との接触による摩耗を低減する座金５０とを有しており、これらのリング状の各部材１０、２０、３０、５０が固定手段６０によって軸心Ｘを一致させた状態で再分解・再組立て可能に組み立てられて、一体の円盤リング状のエンボスリング１に構成されている。なお、エンボスリング１の構成部材は、必ずしもこれらのみに限られるものではない。実施形態に応じて適宜の構成部材を有していてもよい。
【００２５】
パターンリング１０は、周面の回転方向に沿って所定間隔で凸部１１，１１…が配置されているリング状の部材である。パターンリング１０の幅及び厚みは、特に限定されない。また、図示の形態では、周面に矩形の凸部１１が、回転方向に一定間隔で並ぶ列１２が三列配置された形態となっているが、パターンリング１０における凸部１１の大きさ、高さ、形状、凸部１１間の間隔、凸部１１が並ぶ列数も限定されない。
【００２６】
但し、好ましい凸部１１の形状は、図５に示すように、パターンリング１０の軸心方向に対して平行な二辺１１Ａ、１１Ｂを有する四角形である。この凸部１１の形状では、エンボス加工時に凸部１１が紙面に辺１１Ａから接触しはじめて、辺１１Ｂから抜けていくことになる。凸部１１の形状が、菱形、四角形或いは三角形であってその頂点から紙面に接する形状や、円形の頂面を有する形状などでは、凸部１１が紙面に接し始める際にその頂点や円形の一点に過度に力が加わりやすく、凸部１１の摩耗がその頂点等において進行しやすくなるが、上記のパターンリング１０の軸心方向に対して平行な二辺１１Ａ，１１Ｂを有する四角形の場合は、辺１１Ａで接触開始して、辺１１Ｂで抜けるため一点に過度の力が加わり難く耐摩耗性に優れ、また、エンボスリング１の紙面への安定接触性にも優れる。
【００２７】
また、パターンリング１０における凸部１１の配置形態は、図５に示すように、周面の回転する方向に沿って凸部１１が並ぶ凸部列１２を複数列有し、その凸部列１２のうち両端に位置する凸部列１２Ａ，１２Ｂの凸部１１同士が軸心方向に重なる位置にあるようにするのが好ましい（図中、重なる領域を符号Ｄで示す）。この凸部１１の配置形態であるとエンボスリング１が紙面に接する際に特に軸心方向にブレ難くなり紙面へがたつくことなく安定的に接触しやすくなる。
【００２８】
このように好適な凸部１１の形状、凸部１１の配置形態とすることにより、パターンリング１０と挿通部２１との間に緩衝リング３０を圧入して介在させた組立て構造と、そのパターンリング１０の材質と緩衝リング３０の材質との組み合わせと、緩衝リング３０の形状及び大きさによる本発明の凸部１１の耐摩耗性及び耐破損性の向上の作用効果が、より顕著なものとなる。
【００２９】
また、本実施形態のエンボスリング１では、特徴的にパターンリング１０の材質が、ＪＩＳ  Ｇ  ４４０４（２００６）合金工具鋼鋼材で規定されるＳＫＤ６１である。このＳＫＤ６１は熱間工具鋼の一種であり、衝撃じん性に優れる。本発明では、パターンリング１０の材質をＳＫＤ６１とすることにより、リングホルダー２０と緩衝リング３０との組立て構造と、緩衝リング３０の材質と相まって凸部１１の耐摩耗性、耐破損性が向上する。この材質のパターンリング１０における凸部１１の形成は、公知の方法により行なうことができる。マシニング機での切削加工、ワイヤーカット（ワイヤー放電加工などとも称される）によって形成することができる。
【００３０】
他方、リングホルダー２０は、平板環状のリング状板部２２とその内周縁から軸心方向の一方側に突出する筒状の挿通部２１を有し、この挿通部２１の外径Ｌ１が、パターンリング１０の内径Ｌ２よりも小さくなっており、前記挿通部２１がパターンリング１０との間に隙間が有る状態で挿入可能になっている。挿通部２１の外径Ｌ１及びパターンリング１０の内径Ｌ２は、限定されないが、エンボスリング１の一般的な大きさを考慮すれば、本発明では、挿通部２１の外径Ｌ１が８０〜１２０ｍｍ、パターンリング１０の内径Ｌ２が１００〜１４０ｍｍとするのが適する。また、リングホルダー２０のリング状板部２２，２２は、パターンリング１０を挟み込んで固定する部分であり、座金５０，５０を介してパターンリング１０を挟持する。リング状板部２２は、座金５０等を介してパターンリング１０の端面側に押しあて可能な形状であればよい。なお、一対のリングホルダー２０，２０とする場合には、実質的に同素材、同型状であるのが望ましい。このようにすればエンボスリング１の軸心方向の重量差がなくなり安定的に回転しやすくなる。なお、図示の形態では、リングホルダー２０を一対二つ有する形態であるが、リングホルダー２０は一つとすることもできる。リング状板部２２と同形状の押えリング（図示しない）を用いて、リングホルダー２０のリング状板部２２と押えリングとで、パターンリング１０を挟持固定する組立て構造としてもよい。リングホルダー２０の挿通部２１の軸心側には、エンボスリング１を支持する支持軸７０が挿通され、この支持軸７０とリングホルダー２０の挿通部２１との間に、ベアリング軸受やベアリング軸受ユニット８０が組み込まれ、エンボスリング１が支持軸７０に対して回動自在に取り付けられる。
【００３１】
他方、本実施形態のエンボスリング１では、特徴的に挿通部２１とパターンリング１０との間に介在される緩衝リング３０を有している。この緩衝リング３０の材質は、硬度７０のニトリルゴムである。ここで、緩衝リング３０の材質の硬度７０とは、ＪＩＳ  Ｂ  ２４０１−１（２０１２）Ｏリングに規定するタイプＡ  デュロメータ硬さである。また、ニトリルゴムは、一般用ニトリルゴム、燃料用ニトリルゴムの他、水素化ニトリルゴムとすることができる。本発明における緩衝リング３０のより具体的な例は、ＪＩＳ  Ｂ  ２４０１−１（２０１２）Ｏリングに規定されるＮＢＲ−７０−１、ＮＢＲ−７０−２、ＨＮＢＲ−７０である。
【００３２】
また、緩衝リング３０は、半径方向の厚さＬ３（Ｌ３＝緩衝リング３０の外径−緩衝リング３０の内径）がパターンリング１０の内径Ｌ２と挿通部２１の外径Ｌ１との差よりも０．５〜５％厚く、緩衝リング３０の内径Ｌ４が挿通部２１の外径Ｌ１よりも０．５〜１．５％小さい。したがって、緩衝リング３０は、挿通部２１とパターンリング１０との間に圧入されて介在される。緩衝リング３０の内径Ｌ４が挿通部２１の外径Ｌ１よりも１．５％を超えて小さい場合には、緩衝リング３０内に挿通部２１を挿通させることが困難となり組立てが困難となる。また、０．５％未満の小ささであると、緩衝リング３０が挿通部２１に対して動きやすくなり、緩衝リング３０とパターンリング１０が挿通部２１に対してしっかりと固定されず、緩衝リング３０が挿通部２１に対して空回りするおそれが生ずる。さらに、緩衝リング３０の半径方向の厚さＬ３が、パターンリング１０の内径Ｌ２と挿通部２１の外径Ｌ１との差よりも５％を超えて厚いと、パターンリング１０と挿通部２１との間に緩衝リング３０を介在させることが困難となりエンボスリング１の組立てが困難となる。また、緩衝リング３０の半径方向の厚さＬ３が、パターンリング１０の内径Ｌ２と挿通部２１の外径Ｌ１との差よりも０．５％未満の厚さであるとパターンリング１０が緩衝リング３０に対して空回りするおそれが生ずる。ここで、緩衝リング３０の具体的な半径方向の厚さＬ３としては、２〜３８ｍｍ、好ましくは５〜３０ｍｍであり、特に好ましくは９〜１４ｍｍである。２ｍｍ未満であると、ダンパー機能が十分に発揮されないおそれがある。また、断面形状は、円形、四角形等であり、特に円形であると組立て時にパターンリング１０と挿通部２１との間に圧入しやすい。
【００３３】
また、本実施形態のエンボスリング１では、パターンリング１０とリングホルダー２０のリング状板部２２との間に座金５０を介在させている。座金５０を介在させることでパターンリング１０が軸方向へずれ動くことが効果的に抑制されるとともに、パターンリング１０とリングホルダー２０との接触による摩耗が低減される。座金５０は必須ではないが、座金５０によりパターンリング１０の摩耗、ブレが小さくなるので配置するのが望ましい。座金５０の材質は砲金が望ましい。
【００３４】
一方、実施形態に係るエンボスリング１は、上記のとおり各リング部材１０，２０，３０，５０が固定手段６０によって再分解、再組立て可能に固定されて一体化されている。実施形態に係るエンボスリング１における固定手段６０は、リングホルダー２０のリング状板部２２に設けられたネジ孔６１にネジ部材６２を螺合させることで行なうものとなっている。図示の形態では、ネジ部材６２が最初に挿通される一方のリング状板部２２の端がざぐり加工されているとともに、ネジ部材６２の頭部が皿ビス形態となっており、ネジ部材６２による固定が完了した際に一方のリング状板部２２の側面とネジ部材６２の頭部頂面とが面一となり、また、ネジ部材６２の締付けによって生ずるリング状板部２２による各部材の押圧による固定力が効果的に伝わるようになっている。なお、図示の実施形態では、固定手段６０として、ネジ部材６２をリングホルダー２０等に形成したネジ孔６１に螺合する構造としているが、固定手段６０は、この例に限らず、例えば、リングホルダー２０を雌ネジ部とせずに、単なる貫通孔としてネジ部材６２を貫通させた上、ナットによって締付ける締結構造としてもよい。
【００３５】
次いで、本実施形態のエンボスリング１の使用について説明する。エンボスリング１は、図６及び図７に示されるように、例えば、クランプ２に固定される支持軸７０の両端に対して、ボールベアリング軸受ユニット８０等が挿通部２１内に介在されるようにして回転自在に取り付ける。そして、複数の原反ロール９０，９０から単層の原紙９１，９１を繰り出し、その後に各原紙９１，９１を重ねて積層状態（積層状態の原紙は符号９２とする）として、その積層状態でエンボスリング１と、このエンボスリング１を受ける金属製又はゴム製の受けロール３との間を通紙させて行なう。エンボスリング１と受けロール３との間を通過した積層状態の原紙９２は後段の工程で巻き取られてロール状にされる等の処理がなされる。例えば、トイレットロールとするのであれば、トイレットロールの直径と同径に巻き取ってログと称されるロール状の中間製品とされ、ティシューペーパーとするのであれば、その後の折畳み設備へ供給するための原反ロールに巻き取られる。なお、図７では、エンボスリング１が上方、受けロール３が下方位置となっているがこれらロールの位置関係は、これに限られたものではなく、エンボスリング１と受けロール３の配置は、図７の位置と上下逆転していても良い。また、図７では、各々単層の原紙９１を巻き取った原反ロール９０から各々原紙９１，９１を繰り出しているが、予め複数枚が積層された原紙９２を巻き取った原反ロールから原紙を繰出すようにしてもよい。
【実施例】
【００３６】
以下、さらに本発明の効果を実施例を示して説明する。本発明に係るエンボスリング（実施例１）と比較例１〜４のエンボスリングを用いて、約５３，０００，０００ｍのトイレットペーパー原紙に対してエッジエンボスを付与するエンボス加工をおこなった後、エンボスリングの摩耗の具合を目視にて確認した。用いたトイレットペーパーは、米坪が１６．５ｇ／ｍ2のトイレットペーパー原紙を２枚重ねにした２プライ構造のものであり、紙厚は２１０μｍ（２プライ）のものとした。
【００３７】
各例の凸部の形状、配置、エンボスリングの組立て構造、パターンリング及び緩衝リングの材質は、下記表１及び図９に示す。なお、実施例１及び比較例１、３、４の凸部の配置は、図９の（１）に示すものであり、比較例２は、図９の（２）に示すものである。また、結果は、表１及び図１０（Ａ）〜（Ｅ）に示す。この図１０（Ａ）〜（Ｅ）は、試験後のエンボスリングの凸部を撮影したものである。
【００３８】
【表１】
0006764243.tif 000002
【００３９】
本発明の実施例である図１０（Ａ）と比較例である図１０（Ｂ）〜（Ｅ）を対比してみると、明らかに本発明の実施例では凸部の摩耗、破損が少ない。
【００４０】
凸部の形状を変更した比較例２である図１０（Ｃ）、従来例と同様に緩衝リングを配さない比較例３である図１０（Ｄ）、硬度の異なるＳＫＤ１１を用いた比較例４である図１０（Ｅ）においては、凸部の摩耗が激しく破損も確認できる。また、特に、比較例１は、パターンリングの凸部形状及び凸部配置が実施例と同じであり、緩衝リングを組み込んでいる点も同じであるが、パターンリングの材質が、実施例と異なるＳＫＤ１１としたものである。この比較例の図１０（Ｂ）においても他の比較例と同様に、凸部の摩耗が激しく破損も確認できる。つまり、単に緩衝リングを配しただけでは、凸部の耐摩耗性や耐破損性は改善されない。本発明のようにパターンリングの材質をＳＫＤ６１とする必要がある。
【００４１】
以上のとおり、凸部の耐摩耗性及び耐破損性において本発明の実施例では、比較例に比して明らかな優位性が確認できた。この試験結果から明らかなとおり、本発明に係るエンボスリングの組立て構造とすることで、凸部の耐摩耗性や耐破損性が向上する。
【符号の説明】
【００４２】
１…エンボスリング、２…クランプ、３…受けロール、１０…パターンリング、１１…凸部、１１Ａ，１１Ｂ…凸部の辺、１２，１２Ａ，１２Ｂ…凸部の列、２０…リングホルダー、２１…挿通部、２２…リング状板部、３０…緩衝リング、５０…座金、６０…固定手段、６１…ネジ孔、６２…ネジ部材、７０…支持軸、８０…ベアリング軸受ユニット、Ｌ１…挿通部の外径、Ｌ２…パターンリングの内径、Ｌ３…緩衝リングの半径方向の厚さ、Ｌ４…緩衝リングの内径、９０…原反ロール、９１…原紙、９２…積層状態の原紙。
【図１】
0006764243.tif 000003
【図２】
0006764243.tif 000004
【図３】
0006764243.tif 000005
【図４】
0006764243.tif 000006
【図５】
0006764243.tif 000007
【図６】
0006764243.tif 000008
【図７】
0006764243.tif 000009
【図８】
0006764243.tif 000010
【図９】
0006764243.tif 000011
【図１０】
0006764243.tif 000012